(57)【特許請求の範囲】
【請求項１】
調理器の上方に、フード外枠とフード外枠内面に沿う形状の内フードと、渦巻状のファンケーシング内に遠心ファンを有する遠心送風機と、ファンケーシング天板に遠心ファンを水平方向に回転させるモーターを設けたレンジフードであって、遠心送風機の吸込口を有するファンケーシング底板全体が着脱可能で、ファンケーシング側板が内フード内面と継ぎ目なく一体としていることを特徴としたレンジフード。
【請求項２】
ファンケーシング側板とファンケーシング天板とを一体に成形することを特徴とした請求項１記載のレンジフード。
【請求項３】
内フード内面とファンケーシング底板とを面一とすることを特徴とした請求項１記載のレンジフード。
【請求項４】
ファンケーシング底板を、周囲を立ち上げ、ファンケーシング側板より大きくすることを特徴とした請求項１記載のレンジフード。
【発明の詳細な説明】
【技術分野】
【０００１】
本発明は、調理機器の上方に設置され、調理時に発生する油煙を捕集して屋外に排気するレンジフードに関する。
【背景技術】
【０００２】
従来、この種のレンジフードとして、図５〜図７に示すレンジフードが知られている（例えば、特許文献１参照）。
【０００３】
図５に示すレンジフードは、下面が開放されたフード外枠１０１内に渦巻状のファンケーシング１０２が取り付けられ、ファンケーシング１０２内部には、ファンケーシング天板１０２ａに設けたモーター１０３により水平方向に回転する遠心ファン１０４が空気を下方から吸い込むよう配置され、ファンケーシング底板１０２ｂには、吸込口となる、ベルマウス形状のオリフィス１０５がつまみねじ１０６で着脱可能に取り付けられている。そして、遠心ファン１０４は、モーター１０３の回転軸１０３ａにスピンナー１１３で固定されている。また、図６に示すとおり、ファンケーシング１０２は、ファンケーシング天板１０２ａ、ファンケーシング底板１０２ｂ、ファンケーシング側板１０２ｃを溶接もしくはかしめで一体化されている。フード外枠１０１の下面には、中央に開口部１０７を有する内フード１０８が取り付けられ、内フード１０８の開口部１０７は、オリフィス１０５の吸込口と連通している。内フード１０８の下面には、開口部１０７を覆うよう、グリスフィルター１０９が設けられている。フード外枠１０１天面のファンケーシング１０２吐出口には室外と連通するダクト１１０と接続可能なアダプター１１１が設けられ、フード外枠１０１前面には、レンジフードの運転、停止を行なうための操作スイッチ１１２が設けられている。
【０００４】
上記構成により、調理時に操作スイッチ１１２を押し、レンジフードを運転すると、モーター１０３により遠心ファン１０４が回転し、調理で発生した油煙、廃ガスを含んだ空気は、グリスフィルター１０９に吸い込まれ、オリフィス１０５を通過し、ファンケーシング１０２、アダプター１１１、ダクト１１０を通って屋外に排出される。長期間の使用において、油汚れが多量に付着するのは、グリスフィルター１０９、遠心ファン１０４およびファンケーシング１０２内面である。これらの部品の汚れを落とす場合、図７に示すとおり、まず、グリスフィルター１０９を取り外し、次に内フード１０８、オリフィス１０５、スピンナー１１３、遠心ファン１０４の順に取り外す。取り外し可能なこれらの部品は、取り外した後、油汚れを拭き取るまたは洗うことができるが、ファンケーシング１０２の内部の汚れを落とす場合は、通常、ファンケーシング１０２を取り外さず、手を伸ばして内部を拭き取る構造であった。
【特許文献１】特許第３３２９６９４号公報
【発明の開示】
【発明が解決しようとする課題】
【０００５】
このような従来のレンジフードでは、渦巻状のファンケーシング内部を掃除する場合、高い位置に設置されたファンケーシング内に手を入れて汚れを拭き取る必要があるが、ファンケーシングの吸込口が狭いため、手を入れるのが困難で汚れを拭き取りにくいという課題があった。
【０００６】
本発明は、このような従来の課題を解決するものであり、渦巻状のファンケーシング内部に手を入れやすく、汚れを容易に拭き取ることができるレンジフードを提供することを目的としている。
【０００７】
また、内フード内面とファンケーシング内面は別部品で構成されているため、フード本体とファンケーシングの当接部分の汚れが拭き取りにくいという課題があった。
【０００８】
本発明は、このような従来の課題を解決するものであり、フード本体とファンケーシングの汚れを容易に拭き取ることができるレンジフードを提供することを目的としている。
【課題を解決するための手段】
【０００９】
本発明のレンジフードは上記目的を達成するために、調理器の上方に、フード外枠とフード外枠内面に沿う形状の内フードと、渦巻状のファンケーシング内に遠心ファンを有する遠心送風機と、ファンケーシング天板に遠心ファンを水平方向に回転させるモーターを設けたレンジフードであって、遠心送風機の吸込口を有するファンケーシング底板全体が着脱可能で、ファンケーシング側板が内フード内面と連接するよう構成したものである。
【００１０】
この手段により、ファンケーシング底板を取り外すことで、渦巻状のファンケーシング内部に手を入れやすく、汚れを容易に拭き取ることができるレンジフードが得られる。
【００１１】
また、他の手段は、ファンケーシング側板とファンケーシング天板とを一体に成形したものである。
【００１２】
この手段により、ファンケーシング側板とファンケーシング天板の汚れを容易に拭き取ることができるレンジフードが得られる。
【００１３】
また、他の手段は、内フード内面とファンケーシング側板とを一体に成形したものである。
【００１４】
この手段により、内フード内面とファンケーシングの汚れを容易に拭き取ることができるレンジフードが得られる。
【００１５】
また、他の手段は、内フード内面とファンケーシング底板とを面一となるようにしたものである。
【００１６】
この手段により、一連の作業で内フード内面とファンケーシング底板の汚れを拭き取ることができるレンジフードが得られる。
【００１７】
また、他の手段は、ファンケーシング底板を、周囲を立ち上げ、ファンケーシング側板より大きくしたものである。
【００１８】
この手段により、ファンケーシング側板に付着して流れ落ちる油汚れをファンケーシング底板で受け、ファンケーシング底板を取り外して洗い流すことができるレンジフードが得られる。
【００１９】
また、他の手段は、ファンケーシング底板に、撥油加工を施したものである。
【００２０】
この手段により、ファンケーシング底板の油汚れが固着しても容易に拭き取ることができるレンジフードが得られる。
【００２１】
また、他の手段は、ファンケーシング側板の内面、天板の内面および内フード内面に、撥油加工を施したものである。
【００２２】
この手段により、ファンケーシング側板の内面、天板の内面および内フード内面の油汚れが固着しても容易に拭き取ることができるレンジフードが得られる。
【００２３】
また、他の手段は、遠心ファンに、撥油加工を施したものである。
【００２４】
この手段により、遠心ファンの油汚れが固着しても容易に拭き取ることができるレンジフードが得られる。
【００２５】
また、他の手段は、モーターの表面に、撥油加工を施したものである。
【００２６】
この手段により、モーター表面の油汚れが固着しても容易に拭き取ることができるレンジフードが得られる。
【００２７】
また、他の手段は、モーターが、ファンケーシング天板から下に突出しないようにしたものである。
【００２８】
この手段により、ファンケーシング天板の汚れを容易に拭き取ることができるレンジフードが得られる。
【発明の効果】
【００２９】
本発明によれば、調理器の上方に、フード外枠とフード外枠内面に沿う形状の内フードと、渦巻状のファンケーシング内に遠心ファンを有する遠心送風機と、ファンケーシング天板に遠心ファンを水平方向に回転させるモーターを設けたレンジフードであって、遠心送風機の吸込口を有するファンケーシング底板全体が着脱可能で、ファンケーシング側板が内フード内面と連接することにより、渦巻状のファンケーシング内部に手を入れやすく、汚れを容易に拭き取ることができるレンジフードを提供できる。
【００３０】
また、ファンケーシング側板とファンケーシング天板とを一体に成形することにより、ファンケーシング側板とファンケーシング天板の汚れを容易に拭き取ることができるレンジフードを提供できる。
【００３１】
また、内フード内面とファンケーシング側板とを一体に成形することにより、内フード内面とファンケーシングの汚れを容易に拭き取ることができるレンジフードを提供できる。
【００３２】
また、内フード内面とファンケーシング底板とを面一とすることにより、一連の作業で内フード内面とファンケーシング底板の汚れを拭き取ることができるレンジフードを提供できる。
【００３３】
また、ファンケーシング底板を、周囲を立ち上げ、ファンケーシング側板より大きくすることにより、ファンケーシング側板に付着して流れ落ちる油汚れをファンケーシング底板で受け、ファンケーシング底板を取り外して洗い流すことができるレンジフードを提供できる。
【００３４】
また、ファンケーシング底板に、撥油加工を施すことにより、ファンケーシング底板の油汚れが固着しても容易に拭き取ることができるレンジフードを提供できる。
【００３５】
また、ファンケーシング側板の内面、ファンケーシング天板の内面および内フード内面に、撥油加工を施すことにより、ファンケーシング側板の内面、天板の内面及び内フード内面の油汚れが固着しても容易に拭き取ることができるレンジフードを提供できる。
【００３６】
また、遠心ファンに、撥油加工を施すことにより、遠心ファンの油汚れが固着しても容易に拭き取ることができるレンジフードを提供できる。
【００３７】
また、モーターの表面に、撥油加工を施すことにより、モーター表面の油汚れが固着しても容易に拭き取ることができるレンジフードを提供できる。
【００３８】
また、モーターが、ファンケーシング天板から下に突出しないにしたことにより、ファンケーシング天板の汚れを容易に拭き取ることができるレンジフードを提供できる。
【発明を実施するための最良の形態】
【００３９】
本発明の請求項１に記載のレンジフードは、調理器の上方に、フード外枠とフード外枠内面に沿う形状の内フードと、渦巻状のファンケーシング内に遠心ファンを有する遠心送風機と、ファンケーシング天板に遠心ファンを水平方向に回転させるモーターを設けたレンジフードであって、遠心送風機の吸込口を有するファンケーシング底板全体が着脱可能で、ファンケーシング側板が内フード内面と継ぎ目なく一体とするよう構成したことにより、ファンケーシング底板を取り外すことで、渦巻状のファンケーシング内部に手を入れやすく、汚れを容易に拭き取ることができる。
【００４０】
また、ファンケーシング側板とファンケーシング天板とを一体に成形することにより、ファンケーシング側板とファンケーシング天板の汚れを容易に拭き取ることができる。
【００４１】
また、内フード内面とファンケーシング側板とを一体に成形することにより、内フード内面とファンケーシングの汚れを容易に拭き取ることができる。
【００４２】
また、内フード内面とファンケーシング底板とを面一とすることにより、一連の作業で内フード内面とファンケーシング底板の汚れを拭き取ることができる。
【００４３】
また、ファンケーシング底板を、周囲を立ち上げ、ファンケーシング側板より大きくすることにより、ファンケーシング側板に付着して流れ落ちる油汚れをファンケーシング底板で受け、ファンケーシング底板を取り外して洗い流すことができるレンジフードが得られる。
【００４４】
また、ファンケーシング底板に、撥油加工を施すことにより、ファンケーシング底板の油汚れが固着しても容易に拭き取ることができる。
【００４５】
また、ファンケーシング側板の内面、ファンケーシング天板の内面および内フード内面に、撥油加工を施すにより、ファンケーシング側板の内面、天板の内面および内フード内面の油汚れが固着しても容易に拭き取ることができる。
【００４６】
また、遠心ファンに、撥油加工を施すことにより、遠心ファンの油汚れが固着しても容易に拭き取ることができる。
【００４７】
また、モーターの表面に、撥油加工を施すことにより、モーター表面の油汚れが固着しても容易に拭き取ることができる。
【００４８】
また、モーターが、ファンケーシング天板から下に突出していないことにより、ファンケーシング天板の汚れを容易に拭き取ることができる。
【００４９】
以下、本発明の実施の形態について図面を参照しながら説明する。
【００５０】
（実施の形態１）
図１〜図３に示すように、本発明のレンジフードは、調理器（図示せず）の上方に設置されるフード外枠１と、フード外枠１内面に沿う形状の内フード２と、ファンケーシング天板３ａと渦巻状のファンケーシング側板３ｂで構成されるファンケーシングと、ファンケーシング天板３ａに設けたモーター４により水平方向に回転する遠心ファン５とからなる。遠心ファン５は、モーター４の回転軸４ａにスピンナー１３で固定する。遠心ファン５下方には、中央部にファンケーシングの吸込口となるベルマウス状の開口を有するファンケーシング底板６が設けられている。ファンケーシング底板６の外周は、ファンケーシング側板３ｂの渦巻形状より若干大きい寸法で、周囲を上方に立ち上げている。内フード２は、下方に広がるラッパ形状で、天板部分が、渦巻状のファンケーシング側板３ｂの下端に連接している。また、内フード２の天板部分には、ファンケーシング底板６の形状に合わせた段差部７があり、ファンケーシング底板６をつまみねじ８で固定するとファンケーシング底板６下面と内フード２天面が面一になるようになっている。また、ファンケーシング底板６下方の内フード２内部にはグリスフィルター９が着脱可能に設けられている。ファンケーシング３の吐出部には、室外と連通するダクト１０と接続可能なアダプター１１が設置され、フード外枠１前面には、レンジフードの運転、停止を行なうための操作スイッチ１２が設けられている。なお、ファンケーシング天板３ａとファンケーシング側板３ｂと内フード２は一体で成形されており、内面に撥油加工が施されている。また、モーター４表面、遠心ファン５、ファンケーシング底板６にも撥油加工が施されている。
【００５１】
上記構成において、調理時に操作スイッチ１２を押し、レンジフードを運転すると、調理で発生した油煙、廃ガスを含んだ空気は、内フード２下面から吸い込まれ、グリスフィルター９を通過し、ファンケーシング底板６中央の吸込口から吸い込まれ、ファンケーシング３内、アダプター１１、ダクト１０を通って屋外に排出される。長期間の使用において、特に油汚れが多量に付着するのは、グリスフィルター９、ファンケーシング天板３ａ内面、ファンケーシング側板３ｂおよびファンケーシング底板６である。これらの汚れを落とす場合、図３に示すように、まず、グリスフィルター９を外し、内フード２内面とファンケーシング底板６下面の汚れを拭き取る。次に、図２に示すとおり、ファンケーシング底板６と遠心ファン５を取り外し、ファンケーシング天板３ａ、ファンケーシング側板３ｂの内面、モーター４表面の汚れを、ファンケーシング内に手を入れて拭き取る。この際、ファンケーシング底板６が外れることにより、ファンケーシング側板３ｂの下面全体が開口部となり、手を入れやすくなる。
【００５２】
このように本発明の実施の形態１のレンジフードによれば、ファンケーシング天板３ａ内面、渦巻状のファンケーシング側板３ｂ内面の汚れを拭き取る際、ファンケーシング底板６を取り外すことで、手を入れるのが容易になり、汚れを容易に拭き取ることができる。
【００５３】
また、ファンケーシング天板３ａとファンケーシング側板３ｂは継ぎ目なく一体となっていることにより、継ぎ目に汚れが溜まることなく、汚れを容易に拭き取ることができる。
【００５４】
また、内フード２とファンケーシング側板３ｂは継ぎ目なく一体となっていることにより、継ぎ目に汚れが溜まることなく、内フード２とファンケーシング側板３ｂの汚れを容易に拭き取ることができる。
【００５５】
また、内フード２内面とファンケーシング底板６が面一となるようにしたことにより、内フード２内面の汚れを拭き取るとき、一連の作業でファンケーシング底板６の汚れを拭き取ることができる。
【００５６】
また、ファンケーシング底板６の周囲を立ち上げ、ファンケーシング底板６をファンケーシング側板３ｂより若干大きくしたことにより、ファンケーシング側板３ｂ内面に付着して流れ落ちる油汚れをファンケーシング底板６で受け、ファンケーシング底板６を取り外して洗い流すことができる。
【００５７】
また、ファンケーシング底板６に撥油加工を施したことにより、ファンケーシング底板６の油汚れが固着しても容易に拭き取ることができる。
【００５８】
また、ファンケーシング天板３ａの内面およびファンケーシング側板３ｂの内面および内フード２の内面に撥油加工を施したことにより、ファンケーシング天板３ａの内面およびファンケーシング側板３ｂの内面および内フード２の内面の油汚れが固着しても容易に拭き取ることができる。
【００５９】
また、遠心ファン５に撥油加工を施したことにより、遠心ファンの油汚れが固着しても容易に拭き取ることができる。
【００６０】
また、モーター４の表面に撥油加工を施したことにより、モーター表面の油汚れが固着しても容易に拭き取ることができる。
【００６１】
（実施の形態２）
図４において実施の形態１と異なるところは、モーター４が、回転軸を除いて、ファンケーシング天板３ａから下方に突出しておらず、ファンケーシング天板３ａの外側に設けられていることである。モーター４の回転軸のみがファンケーシング天板３ａから下に突出しており、遠心ファンと接続されている。
【００６２】
このように本発明の実施の形態２のレンジフードによれば、モーター４がファンケーシング天板３ａから突出しないようにしたことにより、ファンケーシング天板３ａの汚れを容易に拭き取ることができる。
【産業上の利用可能性】
【００６３】
本発明のレンジフードは、フード本体内部、送風機内部の清掃性がよいレンジフードとして有効である。
【図面の簡単な説明】
【００６４】
【図１】本発明の実施の形態１のレンジフードの側面構成図
【図２】同レンジフードの部品構成を示す分解斜視図
【図３】同レンジフードのグリスフィルターを取り外した状態の斜視図
【図４】本発明の実施の形態２のレンジフードの側面構成図
【図５】従来のレンジフードの側面構成図
【図６】同レンジフードのファンケーシングの部品構成を示す分解斜視図
【図７】同レンジフードの部品構成を示す分解斜視図
【符号の説明】
【００６５】
１    フード外枠
２    内フード
３ａ  ファンケーシング天板
３ｂ  ファンケーシング側板
４    モーター
４ａ  回転軸
５    遠心ファン
６    ファンケーシング底板
７    段差部
８    つまみねじ
９    グリスフィルター
１０  ダクト
１１  アダプター
１２  操作スイッチ
１３  スピンナー
【図１】
0004985366.tif 000002
【図２】
0004985366.tif 000003
【図３】
0004985366.tif 000004
【図４】
0004985366.tif 000005
【図５】
0004985366.tif 000006
【図６】
0004985366.tif 000007
【図７】
0004985366.tif 000008